(57)【特許請求の範囲】
【請求項１】
少なくとも手差し用給紙口、単票用紙自動給紙機構、連続用紙給紙機構と、紙送り機構に対する記録媒体の圧接力を切り替えるフリクション切換えレバーを備えて記録ヘッドにより複数種類の記録媒体に印刷する記録装置において、
前記手差し用給紙口、単票用紙自動給紙機構、連続用紙給紙機構のいずれから記録媒体が装填されたかを検出する装填口判定手段と、前記フリクション切換えレバーの位置を検出するレバー位置検出手段と、前記手差し用給紙口、単票用紙自動給紙機構、連続用紙給紙機構から装填された記録媒体に対するそれぞれの上マージン、下マージン、右マージン、左マージン、及びページ長を規定する印刷様式データ、及び少なくとも装填された記録媒体を印刷可能領域まで送ることができる規定値の様式データを格納した不揮発性メモリからなる様式格納手段と、前記レバー位置検出手段及び前記装填口判定手段からの信号に基づいて前記様式格納手段に格納されている様式データを読出して紙送り及び印刷のための設定を行う印刷様式設定手段とを備えてなるマルチパス型記録装置。
【請求項２】
前記デフォルトの様式データの紙送り量が他の様式データよりも最小となるように設定されている請求項１のマルチパス型記録装置。
【請求項３】
前記印刷様式設定手段は、様式格納手段からのデータを作業用メモリにロードするとともに、装填経路が変更された場合に、前記作業用メモリのデータを前記様式格納手段に待避させる請求項１のマルチパス型記録装置。
【請求項４】
前記印刷様式設定手段は、前記手差し用給紙口、単票用紙自動給紙機構、連続用紙給紙機構に対応する様式データが設定されていない場合には、前記デフォルトの様式データを不揮発性メモリから読込んで設定する請求項１のマルチパス型記録装置。
【請求項５】
前記様式データを外部から設定する手段を備えた請求項１のマルチパス型記録装置。
【発明の詳細な説明】
【０００１】
【産業上の利用分野】
本発明は、手差し用給紙口、単票用紙自動給紙機構、連続用紙給紙機構を備え、１台で種々の記録用紙に印刷が可能な記録装置に関する。
【０００２】
【従来の技術】
印刷媒体の多様化に伴い１台の記録装置に複数のサイズの単票用紙自動給紙装置や、連続用紙給紙用のトラクタ、及び手差し給紙口を設け、単票用紙自動給紙装置からサイズが異なる定尺記録用紙を自動給紙したり、また帳票等の大量のデータの印刷のための連続用紙の給紙を可能とするとともに、手差し給紙口にカットシートを装填することによりテンポラリな印刷をも可能とするマルチパス型記録装置が実用化されている。
【０００３】
【発明が解決しようとする課題】
このような装置によれば、種々のサイズの記録用紙に簡単に対応できものの、上マージン、下マージン、ページ長等の様式データが共通のものとして設定されているため、せっかく異なる給紙パスを選択したにもかかわらず、前回に印刷された様式データが設定されてしまい、様式データをその度毎に再設定する必要があり、操作が面倒であるという問題がある。
【０００４】
本発明はこのような問題に鑑みてなされたものであって、その目的とするところは複数の印刷パス毎に個別に様式を設定でき、印刷パスを選択するだけで所定の様式で印刷ができる新規なマルチパス型記録装置を提供することである。
【０００５】
【課題を解決するための手段】
このような問題を解消するために本発明においては、少なくとも手差し用給紙口、単票用紙自動給紙機構、連続用紙給紙機構と、紙送り機構に対する記録媒体の圧接力を切り替えるフリクション切換えレバーを備えて記録ヘッドにより複数種類の記録媒体に印刷する記録装置において、前記手差し用給紙口、単票用紙自動給紙機構、連続用紙給紙機構のいずれから記録媒体が装填されたかを検出する装填口判定手段と、前記フリクション切換えレバーの位置を検出するレバー位置検出手段と、前記手差し用給紙口、単票用紙自動給紙機構、連続用紙給紙機構から装填された記録媒体に対するそれぞれの上マージン、下マージン、右マージン、左マージン、及びページ長を規定する印刷様式データ、及び少なくとも装填された記録媒体を印刷可能領域まで送ることができる規定値の様式データを格納した不揮発性メモリからなる様式格納手段と、前記レバー位置検出手段及び前記装填口判定手段からの信号に基づいて前記様式格納手段に格納されている様式データを読出して紙送り及び印刷のための設定を行う印刷様式設定手段とを備えるようにした。
【０００６】
【作用】
記録媒体が装填された位置に応じて個別に定められている印刷様式を格納するとともに、記録媒体の装填位置に基づいて対応する印刷様式を様式格納手段から選択して印刷を実行する。また、印刷様式が設定されていない場合にはデフォルトの様式データを選択して印刷可能ならしめる。
【０００７】
【実施例】
そこで、以下に本発明の詳細を図示した実施例に基づいて説明する。
図１は、本発明の一実施例を示すものであって、図中符号１は、紙送り機構を兼ねるプラテンで、記録媒体を支持して記録ヘッド５からの圧力を受け止めるもので、これには記録媒体が単票用紙か、連続用紙かに対応してフリクション切換えレバー２に連結する作動杆３より圧接力を大小２種類に調整される従動ローラが当接している。また作動杆３にはレバー位置検出器１６が接続されていて、記録媒体の圧接力を検知して電気信号に変換するできるように構成されている。
【０００８】
プラテン１の印刷領域に対向させてこれの軸方向に平行に移動可能にキャリッジ４が配置されいて、これにインクジェット式記録ヘッドやワイヤインパクト式記録ヘッド、熱転写式記録ヘッド等の記録ヘッド５が搭載されている。
【０００９】
プラテン１の前部下部には連続用紙を給紙する第１のトラクタ６、及び単票用紙を手差しにより装填できる第１の給紙口７が配置され、またプラテン１の背面側には、連続用紙を給紙する第２のトラクタ８が、その上部には第１ビン、第２ビンとなる単票用紙自動給紙装置９、１０が、さらに上部には第２の手差し用給紙口１１が設けられている。
【００１０】
第１のトラクタ６、及び第１の給紙口４からの記録媒体が進入する第１の記録媒体搬送経路１２には、ここに進入した記録媒体を検知する第１の媒体検出器１３が、また第２のトラクタ８、第１、第２の単票用紙自動給紙装置９、１０、及び第２の手差し用給紙口１１からの記録媒体が進入する第２の記録媒体搬送経路１４には第２の媒体検出器１５が配置されている。
【００１１】
図３は、本発明の一実施例を示すものであって、図中符号２０は、装填口判定手段で、第１、第２の媒体検出器１３、１５、及びレバー位置検出器１６からの信号に基づいて印刷領域に装填される記録媒体の位置を判定するように構成されている。
【００１２】
すなわち、フリクション切換えレバー２が圧接力の大きな側に設定されていて、かつ第１の媒体検出器１３から信号が出力した場合には第１の給紙口７から、またフリクション切換えレバー２が圧接力の大きな側に設定されていて、かつ第２の媒体検出器１５から信号が出力した場合には第２の給紙口１１から記録用紙が装填されたものと判定する。
【００１３】
２１は、印刷様式設定手段で、函体に設けられたパネル３０や外部装置により第１、第２の単票用紙自動給紙装置９、１０のビン、または第１、第２のトラクタ６、８が選択された場合には、これら設定データに基づいてそれぞれ後述する様式格納手段２３から対応する印刷様式データを作業用メモリ２２にロードし、また第１、第２の給紙口７、１１に単票用紙が手差しで装填された場合には、装填口判定手段２０からの信号に基づいて様式格納手段２３から対応する様式データを読出して作業用メモリ２２にロードするものである。
【００１４】
また、外部装置やパネル３０から設定データが入力した場合には、外部装置やパネル３０のからのデータを作業用メモリ２２に格納し、また対応する様式データが格納されていない場合には既定値のデータを作業用メモリ２２に読出して設定する。。そして、記録媒体の種類が変更された場合には、直前に印刷に使用していた様式データを様式格納手段２３の元の領域に格納する。
【００１５】
２３は、前述の様式格納手段で、書き換え可能な不揮発性メモリからなり、図４に示したように既定値と、第１、第２の給紙口７、８、第１ビン、第２ビンとなる第１、第２の単票用紙自動給紙装置９、１０、及び第１、第２のトラクタ６、８毎に、上マージン、下マージン、右マージン、左マージン、及びページ長のデータの書込みと、読出しを可能とするように構成されている。
【００１６】
なお、図中符号２５は、紙送りモータ２７を制御する媒体送り制御手段を、また符号２６は印刷様式に基づいて外部装置からの印刷データに基づいて記録ヘッドを作動させる印刷制御手段をそれぞれ示す。
【００１７】
この実施例において、大量の文書を単票用紙に印刷するべく、単票用紙の搬送に適した大ききな圧接力を与えるためにフリクション切換えレバー２をフリクション側に切換え、また函体のパネル３０、または外部装置から２つの単票用紙自動給紙装置９、１０の一方、例えば第１ビンとなる第１の単票用紙自動給紙装置９を選択する。
【００１８】
これにより、印刷様式設定手段２１は、第１ビンの様式として格納されている様式データを様式格納手段２３から作業用メモリ２２にロードする。紙送り制御手段２５は、紙送りモータ２７を作動させて、作業用メモリ２２の様式データに基づいて紙送りを行い、様式データで指定された上マージンとなるように紙送りを実行する。
【００１９】
なお、対応する様式データが様式格納手段２３に設定されていない場合には、規定値の印刷様式データを作業用メモリ２２にロードし、少なくとも第１の単票用紙自動給紙装置９から装填された単票用紙を印刷可能な位置にまで搬送する。
また、外部装置やパネル３０により様式データが入力されて設定されると、印刷様式設定手段２１は、このデータに基づいて作業用メモリ２２のデータを更新する。媒体送り制御手段２５は、規定値の上マージンと作業用メモリ２２に格納された新しい様式データの上マージンとを比較し、同一である場合には印刷データの入力を待つ。
【００２０】
一方、作業用メモリ２２に設定された様式データの上マージンの方が大きい場合には、媒体送り制御手段２５は、その差分だけ紙送りモータ２７を正転させてさらに紙送りしてから印刷データの入力を待つ。
【００２１】
規定値となる様式データの上マージンが記録媒体を印刷領域に搬送できる程度の最小限の値に設定されているため、外部装置やパネル３０から再設定された場合には先送りの動作が必要となるものの、引き戻し動作は回避されるので、記録ヘッド５としてインクジェット記録ヘッドを用いた記録装置のようにキャリッジに紙押え部材を備えていない記録装置にあっては、引き戻し時に起こりがちな記録媒体と記録ヘッド５との接触を無くして記録媒体の汚損を防止することができる。
【００２２】
この状態で印刷信号が入力すると、印刷制御手段２６は、作業用メモリ２２の様式データに基づいて印刷を実行する。
【００２３】
１つの印刷データに対する印刷が終了して、異なる記録媒体、例えばＢ５版の用紙に印刷すべく、パネル３０や外部装置から第２ビンである単票用紙自動給紙装置１０を選択すると、印刷様式設定手段２１は、前回の印刷で使用された作業用メモリ２２の第１ビンの様式データを様式格納手段２３に待避させ、代わって第２ビンの様式データを様式格納手段２３から読出して作業用メモリ２２にロードする。
【００２４】
この状態で外部装置から印刷信号が入力すると、前述と同様に媒体送り制御手段２５、及び印刷制御手段２６は、作業用メモリ２２の様式データに基づいて単票用紙自動給紙装置１０からの記録媒体に印刷を行う。
【００２５】
一方、長尺紙に印刷すべく、フリクション切換えレバー２をトラクタ側に切換えて長尺紙の印刷に適した軽い圧接力を設定すると、印刷様式設定手段２１は、位置検出器１６からの信号により記録媒体の種類が変更されたことを検知して作業用メモリ２２にロードされている第２ビンの様式データを様式格納手段２３に待避させる。
【００２６】
この状態でパネル３０、または外部装置から一方のトラクタ、例えば第２のトラクタ８を選択すると、印刷様式設定手段２１は、第２トラクタ８の長尺紙の様式データを様式格納手段２３から読出して作業用メモリ２２にロードする。
【００２７】
この状態で外部装置から印刷信号が入力すると、媒体制御手段２５、及び印刷制御手段２６は、作業用メモリ２２の様式データに基づいて長尺紙に印刷を実行する。
【００２８】
長尺紙の印刷が終了した段階で、１枚の単票用紙に第１ビン、第２ビンには設定されていない様式で印刷するすべく、単票用紙に適した圧接力を設定するためにフリクション切換えレバー２をフリクション側に切換えると、印刷様式設定手段２１は、位置検出器１６からの信号により記録媒体が切り替わったことを検知して作業用メモリ２２にロードされている第２のトラクタ８の様式データを様式格納手段２３に待避させる。
【００２９】
つづいて、第２の手差し用給紙口１１に単票用紙を挿入すると、単票用紙の先端が第２の媒体検出器１５により検知されるから、装填口判定手段２０は、第２の媒体検出器１５とレバー位置検出器１６とからの信号に基づいて、単票用紙が第２の給紙口１１に装填されたものと判断する。
【００３０】
印刷様式設定手段２１は、様式格納手段２３から第２の給紙口１１の様式データを作業用メモリ２２にロードする。所定時間が経過すると、媒体送り制御手段２５は、装填された用紙を作業用メモリ２２のデータに基づいて印刷領域にオートローデングし、印刷データの入力を待つ。
【００３１】
外部装置から印刷データが入力すると、媒体送り制御手段２５、及び印刷制御手段２６は作業用メモリ２２の様式データに基づいて印刷を実行する。
【００３２】
他の記録媒体に印刷を行うため、第２の給紙口以外、つまり第１の給紙口７に単票用紙を装填したり、またパネル３０から第１、第２の単票用紙自動給紙装置９、１０や第１、第２のトラクタ６、８を選択すると、印刷様式設定手段２１は、作業用メモリ２２にロードされている第２の給紙口１１の様式データを様式格納手段２３に待避させてから、上記選択された給紙形態に対応する様式データを様式格納手段２３から読出して作業用メモリ２２にロードする。
【００３３】
以下、このように給紙形態が切り替わる毎に作業用メモリ２２の様式データを様式格納手段２３に待避させてから、選択された給紙形態に一致する様式データを様式格納手段２３から作業用メモリ２２に読出し、以後、給紙形態が切り替わるまで作業用メモリ２２の様式データに基づいて印刷が継続される。
【００３４】
【発明の効果】
以上説明したように本発明によれば、記録媒体の装填位置毎に予め設定されている印刷様式を自動的に選択できて、パス変更にともなう印刷様式の設定操作を不要とすることができる。
【図面の簡単な説明】
【図１】本発明の一実施例を印刷機構を示す斜視図である。
【図２】同上印刷機構の紙送り経路を示す側面図である。
【図３】本発明の一実施例を示すブロック図である。
【図４】様式格納手段の一実施例を模式的に示す図である。
【符号の説明】
１  プラテン
２  フリクション切換えレバー
４  キャリッジ
５  記録ヘッド
６  第１のトラクタ
７  第１の手差し給紙口
８  第２のトラクタ
９  第１ビンの単票用紙自動給紙装置
１０  第２ビンの単票用紙自動給紙装置
１１  第２の手差し給紙口
１２  第１の記録媒体搬送経路
１４  第２の記録媒体搬送経路
１３  第１の媒体検出器
１５  第２の媒体検出器
１６  レバー位置検出器
【図１】
0003642093.tif 000002
【図２】
0003642093.tif 000003
【図３】
0003642093.tif 000004
【図４】
0003642093.tif 000005